(57)【要約】【課題】保持部の保管による収縮や反復使用によって紙類の挟持力が低下することがなく、挿入される紙類を常に適正な力で挟持する。【解決手段】平板状の固定部21と、紙類の挿入方向と直交する方向に細長い断面の接合部を有する接続頂部23aにおいて固定部と一体的に形成される保持部23とを備えた、ゴム等の弾性材料からなる保持片20を備え、接続頂部を支点として回動する保持部23の復帰力によって、接続頂部の反対側に位置する保持端部24とケース11との間で紙類を挟持するペーパーホルダーにおいて、保持部23の動きを規制して復帰力を付加する弾性補助部材30を添設した。【選択図】図１
2008188915.tif 000002
【特許請求の範囲】
【請求項１】
紙類の挿入方向に沿う平板状の固定部と、紙類の挿入方向と直交する方向に細長い断面の接合部を有する接続頂部において前記固定部と一体的に形成される保持部とを備えた、ゴム等の弾性材料からなる保持片を、ケースの内部に備え、紙類の挿入時に、前記保持部が前記接続頂部を支点として紙類の挿入方向に動くとともに、その復帰力によって、前記接続頂部の反対側に位置する保持端部とケースとの間で紙類を挟持するペーパーホルダーにおいて、
前記保持部の動きを規制して復帰力を付加する弾性補助部材を添設したことを特徴とするペーパーホルダー。
【請求項２】
前記固定部の内面と、前記接続頂部から前記保持端部へ挿入方向側に傾斜して伸びる内側傾斜部とによって形成される領域に、前記固定部及び前記内側傾斜部それぞれに沿うように折り曲げられた板状の弾性補助部材を添設したことを特徴とする請求項１に記載のペーパーホルダー。
【請求項３】
前記接続頂部は、その幅方向の両端部に前記固定部から離隔する切欠部を備え、前記弾性補助部材は、その幅方向の中間部において折り曲げられ、その幅方向の両端部は、前記接続頂部の切欠部に挿入されてなる請求項２に記載のペーパーホルダー。
【発明の詳細な説明】
【技術分野】
【０００１】
本発明は、紙、カードその他の紙類を挟んで固定するために使用するペーパーホルダーに関する。
【背景技術】
【０００２】
従来、この種のペーパーホルダーとしては各種のものがあるが、その基本構造は、ケースの一方の側に紙類を挿入するための開口部を有するとともに、ケースの内部に紙類を保持するための保持部材を備えて構成されている。
特許文献１には、本発明者の発明に係るカードホルダーが開示されている。このカードホルダーは、「厚み部を有する基片の一端部に外覆片を係合して一側部にカード挿入口を設け、これら基片と外覆片のなす空間部内に弾力性のあるカード挟着片を、その一端部が前記基片に当接するよう外覆片に取付けてなるカードホルダーにおいて、基片の、カード類を係止する基部の一部を他より軟質に形成し、  カード挟着片はゴムなどの弾性材料からなり、外覆片への取付部を断面直線状に形成し、取付部から足片を突設し、足片の端部から膨出して挟着部を設け、この挟着部の端部は、そのカード挿入口方向に傾斜を付け基片当接部となしたことを特徴とする」ものである。
【０００３】
【特許文献１】特許第３７７５２２２号公報
【発明の開示】
【発明が解決しようとする課題】
【０００４】
上記カードホルダーは、ゴムなどの弾性材料からなるカード挟着片が、紙類の挿入時に、紙類の挿入方向に一種の振り子のように動作する（逆方向には動かない）もので、紙を入れ易く、かつこれを確実に保持して抜けにくくすることができる等の作用効果を奏する。
しかし、構造上、挟着部と取付部との接合部の断面積が小さいため、製造の際カード挟着片の高さ方向の精度を出しにくく、その高さが不足すると、紙類の挟持力（紙類への押圧力）が不足し、また、保管による収縮や反復使用によって挟持力が低下しやすい傾向があった。
本発明は上記事情に鑑み開発されたもので、上記カードホルダーの利点を生かしながら、弾性材料からなる保持部の精度のばらつきを補正可能で、保持部の保管による収縮や反復使用によって紙類の挟持力が低下することがなく、挿入される紙類を常に適正な力で挟持することができるペーパーホルダーを提供することを目的とする。
【課題を解決するための手段】
【０００５】
本発明は、上記目的を達成するためになされたものであり、請求項１に係る発明は、紙類の挿入方向に沿う平板状の固定部と、紙類の挿入方向と直交する方向に細長い断面の接合部を有する接続頂部において前記固定部と一体的に形成される保持部とを備えた、ゴム等の弾性材料からなる保持片を、ケースの内部に備え、紙類の挿入時に、前記保持部が前記接続頂部を支点として紙類の挿入方向に動くとともに、その復帰力によって、前記接続頂部の反対側に位置する保持端部とケースとの間で紙類を挟持するペーパーホルダーにおいて、
前記保持部の動きを規制して復帰力を付加する弾性補助部材を添設したことを特徴とするペーパーホルダーである。
請求項２に係る発明は、前記固定部の内面と、前記接続頂部から前記保持端部へ挿入方向側に傾斜して伸びる内側傾斜部とによって形成される領域に、前記固定部及び前記内側傾斜部それぞれに沿うように折り曲げられた板状の弾性補助部材を添設したことを特徴とするものである。
請求項３に記載の発明は、前記接続頂部は、その幅方向の両端部に前記固定部から離隔する切欠部を備え、前記弾性補助部材は、その幅方向の中間部において折り曲げられ、その幅方向の両端部は、前記接続頂部の切欠部に挿入されてなるものである。
【発明の効果】
【０００６】
請求項１に係る発明によれば、ゴム等の弾性材料からなる保持片の保持部が、紙類の挿入時に、接続頂部を支点として、紙類の挿入方向に一種の振り子のように動作するとともに、挿入された紙類は、保持端部とケースの底面部との間に挟まれて保持端部の弾性及び摩擦力によって保持されるため、紙を入れ易く、かつこれを確実に保持して抜けにくくすることができる。そして、保持部の動きを規制して復帰力を付加する弾性補助部材を添設したため、この弾性補助部材は、固定部に対する保持部の位置を常に所定位置に保つ機能を奏するので、保持部製作の際の精度が不十分で保持部による保持力が不足するときにはこれが補正されるとともに、保管による保持部の収縮や反復使用によって紙類の保持力が低下することがなく、挿入される紙類を常に適正な力で保持することができる。
請求項２に係る発明によれば、固定部の内面と、接続頂部から保持端部へ挿入方向側に傾斜して伸びる内側傾斜部とによって形成される領域に、固定部及び内側傾斜部それぞれに沿うように折り曲げられた板状の弾性補助部材を添設したため、この板状の弾性補助部材によって、取付部に対する保持部の位置を常に所定位置に保つ機能を奏するので、保持部による保持力が不足するときにはこれが補正されるとともに、保管による保持部の収縮や反復使用によって紙類の保持力が低下することがなく、挿入される紙類を常に適正な力で保持することができる。そして、弾性補助部材の構成が簡単で製作も容易であり、経済的でもある。
請求項３に係る発明によれば、接続頂部は、その幅方向の両端部に固定部から離隔する切欠部を備え、弾性補助部材は、その幅方向の中間部において折り曲げられ、その幅方向の両端部は、接続頂部の切欠部に挿入されてなるため、弾性補助部材を保持部に対して適正な位置に、簡単かつ確実に取り付け、製作することができ、したがって、弾性補助板による保持力の付加も確実に安定した状態とすることができる。
【発明を実施するための最良の形態】
【０００７】
本発明の実施例を挙げ、図面を参照して説明するが、本発明は以下の形態に限定されるものではなく、本発明の要旨の範囲で種々の変形、付加等が可能である。
【実施例】
【０００８】
図１は、ペーパーホルダー１の実施例の側面図、図2は弾性補助部材３０の斜視図、図3は保持部２０に弾性補助部材３０を取り付けた状態の斜視図である。
ペーパーホルダー１は、ケース１０と、ケース１０に内装される保持片２０とを備えてなる。ケース１０は、底面部１１と、該底面部１１と対向する上覆部１５と、底面部１１と上覆部１５との間の前方（図１の右側）に設けた紙類の挿入口１９と、挿入口１９の反対側に位置する後壁部１３を備えている。
ケース１０は、硬質の合成樹脂材等からなり、底面部１１とその後端からほぼ直角に起立した後壁部１３とからなる部材と、該部材に係止される上覆部１５とで構成されており、それぞれ長尺物として成形されたものを適宜長さに切断して形成されている。後壁部１３の内面には、上端鉤状部１３ａからやや距離をおいて上下二段に突出した突出片１３ｂ，１３ｃが形成されており、その先端の係止部１３ｄ，１３ｅに、上覆部１５の後端部に上下二段に形成された係止部１５ａ，１５ｂが係止され、底面部１１とその後端からほぼ直角に起立した後壁部１３とからなる部材と、上覆部１５とが一体化されている。
上覆部１５は断面略Ｊ字状に形成してあり、底面部１１と対向する断面直線状の取付部１５ｃと、この取付部１５ｃの前端部から断面半円状に形成された前端正面部１５ｄを備えている。取付部１５ｃの内面には前端正面部１５ｄ寄りに断面直線状の、保持片２０の固定部２１の位置決め用の小突片１５ｅを突設してあり、さらに、前端正面部１５ｄの下端部１５ｆを内側に折曲してある。この下端部１５ｆは、保持部２３の前方側への動きを止めるストッパーとして機能させてもよい。
ケース１０の底面部１１の前方側の内面には、摩擦力を増大させて紙類の挟持を高めるための、ゴム等からなるシート１２が敷設されている。
【０００９】
保持片２０は、合成ゴム等の弾性材料からなる一体成形品からなり、ケース１０に納まる横幅に形成され、ケース１０の底面部１１とこれと対向する上覆部１５とで形成される空間部内に取り付けられている。
保持片２０は、挿入口１９から挿入される紙類の挿入方向に沿う平板状の固定部２１と、紙類の挿入方向と直交する方向（幅方向）に細長い断面の接合部を有する接続頂部２３ａにおいて固定部２１の下面に一体的に形成される保持部２３とを備えており、固定部２１の上面がケース１０の取付部１５ｃの内面に両面テープ等によって接着されてケース１０に固定されている。接続頂部２３ａの固定部２１との接合部断面の大きさは、通常、奥行き１〜２ｍｍ、幅１０〜２０ｍｍ程度である。接続頂部２３ａは、その幅方向の両端部に固定部２１から離隔する切欠部２３ｂを備えている。
【００１０】
保持片２０の保持部２３は、側面視、接続頂部２３ａを上部角部として下方に膨出した側面（断面）形状を有し、その下端にはケース１０の底面部１１又はシート１２の挿入方向側の端部近傍に当接して紙類を保持する、丸みを帯びた保持端部２４が形成され、接続頂部２３ａから保持端部２４へ挿入方向側に傾斜して伸びる内側傾斜部２５と、接続頂部２３ａから挿入口１９側へ伸びる外側上辺部２６と、該外側上辺部２６の先端部から挿入方向側に傾斜して保持端部２４へ伸びる外側下辺部２７とを有し、全体としては本実施例ではほぼ三角形の断面形状を有している。
保持端部２４には、その両端部を残して弧状に凹んだ凹部２４ａが形成され、紙類の着脱を容易にしている。
紙類の挿入時には、保持片２０の保持部２３が接続頂部２３ａを支点として紙類の挿入方向に回動するとともに、その復帰力によって、接続頂部２３ａの反対側に位置する保持端部２４とケース１０の底面部１１との間で紙類を挟持することができる。
【００１１】
そして、ペーパーホルダー１には、上記保持部２３の動きを規制して復帰力を付加する弾性補助部材３０が添設されている。弾性補助部材３０は、保持部２３に対して接触して作用するもので、直接に紙類に接触して作用するものではない点であくまで紙類を直接に保持する部材とは異なり、保持部２３の作用を補助するものにすぎない。したがって、従来ある紙類を挟持するための板ばねによる保持部材とはその作用機能が異なるものである。
本実施例では、保持片２０の固定部２１の内面と、接続頂部２３ａから保持端部２４へ挿入方向側に傾斜して伸びる内側傾斜部２５とによって形成される領域に、固定部２１及び内側傾斜部２５のそれぞれに沿うように折り曲げられた板状の弾性補助部材３０が添設されている。
弾性補助部材３０は、ＳＫ材、ステンレス鋼材等の鋼材からなる厚さ０．１ｍｍ程度の薄板で形成され、保持片２０の固定部２１の内面に沿う基板部３１と、内側傾斜部２５に沿うように、基板部３１の幅方向の中間部において折り曲げられた傾斜部３２と、基板部３１の幅方向の両端部にあって、基板部３１から挿入口側へとそのまま伸びる突出部３３，３４とを備えている。弾性補助部材３０の保持部２３の動きを規制して復帰力を付加する程度、換言すれば、弾性補助部材３０による抵抗力：ばね力は、上記薄板の厚さ及び傾斜部３２の幅、長さによって適宜設定することができる。
そして、上記弾性補助部材３０は、保持片２０の固定部２１の内面に沿う基板部３１において接着剤等を用いて固定部２１に固定されるとともに、この時、弾性補助部材３０の幅方向の両端部にある突出部３３，３４が、保持部２３の接続頂部２３ａの切欠部２３ｂに挿入されて固定される。
【００１２】
しかして、紙類を挿入口１９から挿入すると、挿入される紙類によって、保持端部２４は押し上げられ、保持片２０の保持部２３が接続頂部２３ａを支点として紙類の挿入方向に、図１矢印で示すように振り子のように回動し、紙類の挿入移動が停止されると、保持部２３の復帰力によって、保持端部２４とケース１０の底面部１１との間の摩擦力で紙類を挟持することができる。弾性補助部材３０は、保持部の動きを規制して復帰力を付加するも、上記保持部２３の振り子のような動作は妨げられず、そのまま維持され、固定部２１に対する保持部２３の位置を常に所定位置に保つ機能を奏するので、保持部２３による保持力が不足するときにはこれが補正されるとともに、保管による保持部２３の収縮や反復使用による紙類の保持力の低下が軽減され、挿入される紙類を常に適正な力で保持することができる。
紙類を引き抜こうとすると、保持端部２４とケース１０の底面部１１との間の摩擦力によって、その引き抜きに抵抗が生じ、紙類が不用意に抜けるのを防止する。その摩擦力よりも大きい力で紙類を引き抜くか、横方向にスライドさせれば、容易に紙類を引き抜くことができる。
【図面の簡単な説明】
【００１３】
【図１】ペーパーホルダー１の実施例の側面図である。
【図２】弾性補助部材３０の斜視図である。
【図３】保持部２０に弾性補助部材３０を取り付けた状態の斜視図である。
【符号の説明】
【００１４】
１      ペーパーホルダー
１０  ケース
２０  保持片
２１  固定部
２３  保持部
２４  保持端部
２５  内側傾斜部
２３ａ  接続頂部
２３ｂ  固定部から離隔する切欠部
３０  弾性補助部材
【図１】
2008188915.tif 000003
【図２】
2008188915.tif 000004
【図３】
2008188915.tif 000005